(57)【要約】【課題】筒状の支柱本体の所定の位置に連結具を容易かつ確実に取り付けることができる柵用支柱を提供する【解決手段】筒状の支柱本体２と、支柱本体２に形成された挿入孔５ａ，５ｂと、挿入孔５ａ，５ｂから挿入された連結具１１，１１の一端部を保持する保持部材３とを備え、保持部材３が、一対の圧接部７，７を備えており、この接部７には、連結具１１の一端部が係合する係合部１０ａ，１０ｂが挿入孔５ａ，５ｂと対向した位置に設けられている。したがって、支柱本体２の所定の位置に連結具１１を容易かつ確実に取り付けることができる。【選択図】図１
2005232743.tif 000002
【特許請求の範囲】
【請求項１】
柵を設ける際に使用される柵用支柱であって、
筒状の支柱本体と、
この支柱本体に形成され、連結具の一端部が挿入される挿入孔と、
前記支柱本体内にその開口部から挿入され、前記挿入孔から挿入された連結具の一端部を保持する保持部材とを備え、
前記保持部材は、前記支柱本体の内周部の対向する部位にそれぞれ圧接する一対の圧接部を備え、
少なくとも一方の前記圧接部には、前記挿入孔に挿入された連結具の一端部が係合する係合部が前記挿入孔と対向した位置に設けられていることを特徴とする柵用支柱。
【請求項２】
請求項１に記載の柵用支柱において、
前記圧接部に設けられている係合部が、前記支柱本体に形成された挿入孔に係合していることを特徴とする柵用支柱。
【請求項３】
請求項１に記載の柵用支柱において、
前記支柱本体の内周面には、支柱本体の軸方向に延在するリブが周方向に所定間隔で複数形成されており、
これら複数のリブのうち、前記挿入孔と対向する部位には切欠部が形成されており、この切欠部に前記係合部が嵌り込んでいることを特徴とする柵用支柱。
【請求項４】
請求項３に記載の柵用支柱において、
前記支柱本体の内周面に形成された複数のリブは、高さの高い高リブと低い低リブとが周方向において交互に配置されており、
前記圧接部はその両側部が前記低リブに圧接しており、中央部が前記高リブに圧接しており、
前記切欠部は高リブに形成されていることを特徴とする柵用支柱。
【請求項５】
請求項１〜４のいずれか一項に記載の柵用支柱において、
前記支柱本体は、化粧板部材はセルロース系微粉粒と樹脂とを混合して押出成形したものであることを特徴とする柵用支柱。
【発明の詳細な説明】
【技術分野】
【０００１】
本発明は柵を設ける際に使用されて、該柵を構成する柵用支柱に関する。
【背景技術】
【０００２】
歩道と車道との境界部には、車道横断防止用の柵が設置されている場合がある。この柵は、例えば支柱を所定間隔で多数設置するとともに、隣り合う支柱間に、チェーンや紐等の架設材を配置し、この架設材の端部を支柱に連結することによって構成されるのが一般的である。
【０００３】
柵を構成する支柱の一例として、特許文献１に記載のものが知られている。この特許文献１に記載の支柱は、支柱本体の周面に連結部を設け、この支柱本体を間隔をおいて立設した際、連結部にチェーンや紐体などの架設体を架設して柵を構成する支柱において、支柱本体に前記連結部を構成する連結体を差し込み嵌合し得る受け体を周面から突出しない状態に埋設して支柱本体の周面に臨設し、前記連結体を受け体に差し込み嵌合固定し、この連結体に前記架設体の端部を連結し得るように構成したものである。
前記支柱本体はコンクリート材で一体成形し、かつ、この支柱本体に支柱本体の成形と同時に前記受け体をインサート成形により埋設したものである。
【特許文献１】特開平９−２４２０２９号公報
【発明の開示】
【発明が解決しようとする課題】
【０００４】
ところで、前記支柱では、支柱本体が中実なコンクリート製のものであり、比較的重量が大きいため、取り扱い難いという欠点がある。そこで、支柱本体を筒状に形成することによって、軽量化を図ることができる。
しかし、連結体を嵌合し得る受け体は、支柱本体の成形と同時にインサート成形されるものであるので、支柱本体を筒状に形成すると、受け体を支柱本体内の所定の位置に固定するのが困難となる。特に、筒状の支柱本体の肉厚が薄くなると、受け体を固定できなくなり、よって、連結体（連結具）を所定の位置に取り付けることができなくなる。
【０００５】
本発明は上記事情に鑑みてなされたものであり、筒状の支柱本体の所定の位置に連結具を容易かつ確実に取り付けることができる柵用支柱を提供することを課題としている。
【課題を解決するための手段】
【０００６】
上記課題を解決するために、請求項１に記載の発明は、例えば図１〜図９に示すように、柵を設ける際に使用される柵用支柱１であって、
筒状の支柱本体２と、
この支柱本体２に形成され、連結具１１の一端部（ねじ部１１ｄ）が挿入される挿入孔５ａ，５ｂと、
前記支柱本体２内にその開口部から挿入され、前記挿入孔５ａ，５ｂから挿入された連結具１１，１１の一端部を保持する保持部材３とを備え、
前記保持部材３は、前記支柱本体２の内周部の対向する部位にそれぞれ圧接する一対の圧接部７，７を備え、
少なくとも一方の前記圧接部７には、前記挿入孔５ａ，５ｂに挿入された連結具１１の一端部が係合する係合部１０ａ，１０ｂが前記挿入孔５ａ，５ｂと対向した位置に設けられていることを特徴とする。
【０００７】
ここで、前記支柱本体は、円筒状のものであってもよいし、三角形以上の角筒状のものであってもよい。
また、保持部材は、例えばその幅を、支柱本体の内径より大きめに形成しておき、支柱本体内にその開口部から挿入する際に弾性変形させ、挿入後弾性復帰させることによって、支柱本体の内周部の対向する部位にそれぞれ圧接するように構成すればよい。
【０００８】
請求項１に記載の発明によれば、保持部材３を構成する一対の圧接部７，７が、支柱本体２の内周部の対向する部位にそれぞれ圧接することによって、保持部材３を支柱本体２の所定の位置に固定できる。
そして、支柱本体２には、連結具１１の一端部が挿入される挿入孔５ａ，５ｂが形成されており、圧接部７には、挿入孔５ａ，５ｂに挿入された連結具１１の一端部が係合する係合部１０ａ，１０ｂが、挿入孔５ａ，５ｂと対向した位置に設けられているので、支柱本体２の所定の位置に連結具１１を容易かつ確実に取り付けることができる。
【０００９】
請求項２に記載の発明は、例えば図１２に示すように、請求項１に記載の柵用支柱において、
前記圧接部４７に設けられている係合部１０ａ，１０ｂが、前記支柱本体２に形成された挿入孔５ａ，５ｂに係合していることを特徴とする。
【００１０】
請求項２に記載の発明によれば、圧接部４７に設けられている係合部１０ａ，１０ｂが、支柱本体２に形成された挿入孔５ａ，５ｂに係合しているので、係合部１０ａ，１０ｂが挿入孔５ａ，５ｂに対して容易に位置決めされるとともに、これによって保持部材３の支柱本体２に対する位置めが容易となる。また、係合部１０ａ，１０ｂが挿入孔５ａ，５ｂに係合しているので、保持部材３が支柱本体２に対してその軸方向や周方向にずれるのを防止でき、また、保持部材３を支柱本体２に強固に固定できる。
【００１１】
請求項３に記載の発明は、図１、図５および図８に示すように、請求項１に記載の柵用支柱において、
前記支柱本体２の内周面には、支柱本体２の軸方向に延在するリブ４が周方向に所定間隔で複数形成されており、
これら複数のリブ４のうち、前記挿入孔５ａ，５ｂと対向する部位には切欠部６，６が形成されており、この切欠部６，６に前記係合部１０ａ，１０ｂが嵌り込んでいることを特徴とする。
【００１２】
請求項３に記載の発明によれば、リブ４によって支柱本体２の強度を高めることができるので、支柱本体２の肉厚を薄くできる。また、挿入孔５ａ，５ｂと対向するリブ４の部位に切欠部６，６が形成されており、この切欠部６，６に係合部１０ａ，１０ｂが嵌り込んでいるので、係合部１０ａ，１０ｂが挿入孔５ａ，５ｂに対して容易に位置決めされるとともに、これによって保持部材３の支柱本体２に対する位置めが容易となる。また、係合部１０ａ，１０ｂが切欠部６，６に嵌り込んでいるので、保持部材３が支柱本体２に対してその軸方向や周方向にずれるのを防止でき、また、保持部材３を支柱本体２に強固に固定できる。
【００１３】
請求項４に記載の発明は、例えば図１０および図１１に示すように、請求項３に記載の柵用支柱において、
前記支柱本体２の内周面に形成された複数のリブ４は、高さの高い高リブ４ａと低い低リブ４ｂとが周方向において交互に配置されており、
前記圧接部７はその両側部が前記低リブ４ｂ，４ｂに圧接しており、中央部が前記高リブ４ａに圧接しており、
前記切欠部６は高リブ４ａに形成されていることを特徴とする。
【００１４】
請求項４に記載の発明によれば、圧接部７はその両側部が前記低リブ４ｂ，４ｂに圧接しており、中央部が前記高リブ４ａに圧接しているので、圧接部４を３点でバランスよく支持固定できる。また、切欠部６は高リブ４ａに形成されているので、圧接部７に形成された係合部１０ａ，１０ｂが低くても、この係合部１０ａ，１０ｂを確実に切欠部６，６に嵌め込むことができる。
【００１５】
請求項5に記載の発明は、請求項１〜４のいずれか一項に記載の柵用支柱において、
前記支柱本体２は、化粧板部材はセルロース系微粉粒と樹脂とを混合して押出成形したものであることを特徴とする。
【００１６】
ここで、前記セルロース系微粉粒とは、例えば、廃材等の木材の粗粉砕物、バカスの祖粉砕物、稲藁の粗粉砕物等における各種植物細胞体の原料材粗粉砕物を出発原料とし、これを磨砕処理することによって得ることができる。
【００１７】
磨砕処理とは、粉砕処理と研磨処理とを併せ持つ処理を言うものであり、これら粉砕処理と研磨処理とを同時に行う処理であっても、粉砕処理を行った後、研磨処理を行う二工程からなる処理であってもよい。すなわち、ここで言う磨砕処理とは、後述するように、粗粉砕物から微粉砕物にする粉砕処理と、微粉際された粉粒を、繊維状態のものが絡み合い、その表面が繊毛で覆われている状態の粉粒形状から、表面に繊毛が少ない状態となるように表面研磨する研磨処理とを併せた処理を指している。
【００１８】
前記セルロース系微粉粒は、上記のように磨砕処理により粒径状に形成されることで、通常の木粉のような繊毛上の突出部分が少なくなり、水（湿気を含む）や溶剤などを吸着しにくくなっている。
【００１９】
また、前記樹脂とは、硬質樹脂や軟質樹脂のことであり、塩化ビニル樹脂、発泡塩化ビニル樹脂、ポリエチレン樹脂、ポリプロピレン樹脂、フェノール樹脂、ウレタン樹脂、ポリウレタン樹脂、ＡＢＳ樹脂、ポリスチレン樹脂等が用いられるが、中でも塩化ビニル樹脂、ポリエチレン樹脂、ポリプロピレン樹脂が、成形部材を形成するには好適である。また、樹脂は廃材の樹脂から得るようにしてもよい。
【００２０】
請求項６に記載の発明によれば、支柱本体２がセルロース系微粉粒と樹脂とを混合して押出成形したものであるので、この支柱本体２に防水性、防腐性や木質感を付与することができる。
【発明の効果】
【００２１】
本発明によれば、支柱本体内にその開口部から挿入され、支柱本体に形成された挿入孔から挿入された連結具の一端部を保持する保持部材が、支柱本体の内周部の対向する部位にそれぞれ圧接する一対の圧接部を備えているので、この圧接部が、支柱本体の内周部の対向する部位にそれぞれ圧接することによって、保持部材を支柱本体の所定の位置に固定できる。
そして、圧接部には、挿入孔に挿入された連結具の一端部が係合する係合部が、挿入孔と対向した位置に設けられているので、支柱本体の所定の位置に連結具を容易かつ確実に取り付けることができる。
【００２２】
また、圧接部に設けられている係合部を、支柱本体に形成された挿入孔に係合させることによって、係合部が挿入孔に対して容易に位置決めされるとともに、これによって保持部材の支柱本体に対する位置めが容易となり、さらには、保持部材が支柱本体に対してその軸方向や周方向にずれるのを防止でき、また、保持部材を支柱本体に強固に固定できる。
また、支柱本体の内周面に形成されたリブによって、支柱本体の強度を高めることができ、よって、支柱本体の肉厚を薄くできる。また、リブに形成された切欠部に係合部を嵌め込むことによって、係合部が挿入孔に対して容易に位置決めされるとともに、これによって保持部材の支柱本体に対する位置めが容易となる。また、保持部材が支柱本体に対してその軸方向や周方向にずれるのを防止でき、また保持部材を支柱本体に強固に固定できる。
【００２３】
さらに、高さの高い高リブと低い低リブとを周方向において交互に配置し、圧接部はその両側部が前記低リブに圧接し、中央部が前記高リブに圧接することによって、圧接部を３点でバランスよく支持固定できる。また、切欠部は高リブに形成されているので、圧接部に形成された係合部が低くても、この係合部を確実に切欠部に嵌め込むことができる。
加えて、支柱本体ががセルロース系微粉粒と樹脂とを混合して押出成形したものとすることによって、この支柱本体に防水性、防腐性や木質感を付与することができる。
【発明を実施するための最良の形態】
【００２４】
以下、図面を参照して本発明の実施の形態について説明する。
図１および図２は本発明に係る柵用支柱の一例を示すものであり、図１は柵用支柱の横断面図、図２は柵用支柱の上端部の斜視図である。
これらの図に示す柵用支柱１は、支柱本体２と、この支柱本体２内にその上端開口部から挿入された保持部材３とを備えて構成されている。
支柱本体２は円筒状に形成されたものであり、その内周面には支柱本体２の軸方向に延在する多数のリブ４が周方向に所定間隔で形成されている。
このようなリブ４が形成された支柱本体２はセルロース系微粉粒と樹脂とを混合して押出成形することによって形成されたものである。
また、支柱本体２には、その上端部に一対の挿入孔５ａ，５ａが、支柱本体２の直径方向に対向して形成されており、該挿入孔５ａ，５ａの下方には、一対の挿入孔５ｂ，５ｂが支柱本体２の直径方向に対向して形成されている。これら挿入孔５ａ，５ｂは、同径の円状のものであり、後述する連結具１１の一端部が挿入されるものである。
【００２５】
前記多数のリブ４のうち、前記挿入孔５ａ，５ｂと対向する部位には、図５に示すように、切欠部６が形成されている。つまり、切欠部６は、挿入孔５ａが形成されている部位のリブ４の一部を切り欠いて形成されたものであり、支柱本体２の内周部において合計４個形成されている。挿入孔５ａ，５ａと対向する部位に形成された切欠部６，６は支柱本体２の直径方向に対向して配置されており、挿入孔５ｂ，５ｂと対向する部位に形成された切欠部６，６も支柱本体２の直径方向に対向して配置されている。
【００２６】
前記保持部材３は、図１、図６および図７に示すように、帯状の金属板を側面視略コ字状となるように折曲して形成されたものであり、支柱本体２の内周部の対向する部位にそれぞれ圧接する一対の圧接部７，７と、この圧接部７，７の上端部どうしを連結する連結部８とを備えている。
このような、保持部材３は、自然放置状態で、図６に二点鎖線で示すように、圧接部７，７が外側に若干開くように形成されており、この圧接部７，７はそれらを外側から押圧することによって内側に弾性的に撓み、互いに平行に配置されるものである。そして、圧接部７，７が互いに平行に配置された場合における保持部材３の幅、すなわち、圧接部７，７間の距離は、前記支柱本体２の内径より小さくなっており、４つのリブ４に圧接し得るような長さとなっている。
【００２７】
また、前記圧接部７，７には、係合部１０ａ，１０ａおよび係合部１０ｂ，１０ｂがそれぞれ対向して形成されている。係合部１０ａ，１０ｂは、前記挿入孔５ａ，５ｂにそれぞれ挿入された連結具１１の一端部が係合するものである。係合部１０ａ，１０ｂは圧接部７，７にバーリング加工を施すことによって形成されたものであり、突起とその内側に形成された貫通孔とを備えている。また、前記係合部１０ａ，１０間の距離は、前記挿入孔５ａ，５ｂの距離と等しく設定されている。
連結具１０は柵用支柱１，１どうしをチェーン等によって連結して柵を形成する際に、このチェーンの端部が連結されるものであり、図１に示すように、支柱本体２の外周面に当接するフランジ部１１ａと、このフランジ部１１ａの表面に軸回りに回転自在に設けられた頭部１１ｂと、この頭部１１ｂに取り付けられたリング１１ｃと、フランジ部１１ａの裏面に立設されたねじ部（一端部）１１ｄとから構成されている。そして、このねじ部１１ｄが、前記係合部１０ａ，１０ｂの貫通孔にねじ込まれるようになっている。
【００２８】
上記のように構成された保持部材３は、図２に示すように、この圧接部７，７を内側に弾性的に撓ませた状態で、支柱本体２の上端開口部から挿入され、各圧接部７に形成された係合部１０ａ，１０ｂが前記リブ４に形成された切欠部６，６に嵌り込むことによって、支柱本体２内に装填される。なお、この状態において、保持部材３の連結部８は支柱本体２の上端開口より下方に位置する。
そして、図１、図５および図８に示すように、係合部１０ａ，１０ｂが切欠部６，６に嵌り込むことによって、該係合部１０ａ，１０ｂが、支柱本体２に形成された挿入孔５ａ，５ｂと対向した位置に位置決めされるとともに、圧接部７，７が支柱本体２の内周部の対向する部位にそれぞれ圧接する。つまり、圧接部７，７の両側部が、前記切欠部６を有するリブ４の両側に位置するリブ４，４に圧接する。これによって、前記保持部材３は支柱本体２内の所定の位置に位置決めされて固定保持される。
【００２９】
そして、図１および図８に示すように、前記挿入孔５ａ，５ｂからそれぞれ連結具１１を挿入し、そのねじ部１１ｄを保持部材３の係合部１０ａ，１０ｂにねじ込んで係合するとともに、フランジ部１１ａを支柱本体２の外周面に当接することによって、支柱本体２に合計４つの連結具１１を取り付ける。なお、図１においては、一方の挿入孔５ａ，５ｂに連結具１１を挿入している状態を示しており、他方の挿入孔５ａ，５ｂに挿入される連結具１１は図示を省略してある。
さらに、図８に示すように、支柱本体２の上端開口部には蓋１５が設けられる。この蓋１５もセルロース系微粉粒と樹脂とを混合して成形することによって形成されたものである。蓋１５の裏面にはリング状の突部１５ａが形成されている。
そして、蓋１５はその突部１５ａを支柱本体２の内周部側に嵌め込むことによって、支柱本体２の上端開口部に固定されている。なお、突部１５ａは蓋１５と一体的に形成してもよいし、別体に形成して接着剤等によって接合してもよい。また、突部１５ａと支柱本体２の上端開口部内周面との間にはパッキン等を介在させてもよい。
【００３０】
図３および図４は、本発明に係る柵用支柱の他の例を示すものであり、図３は柵用支柱の横断面図、図４は柵用支柱の要部の斜視図である。
これらの図に示す柵用支柱２１が、前記図１および図２に示す柵用支柱１と異なる点は、支柱本体２の外周に、連結具１１の一端部（ねじ部１１ｄ）を挿入し得る挿入孔が周方向において３つ形成されている点と、支柱本体２内に保持部材が２つ挿入されている点であるので、以下ではこれらの点について詳しく説明し、図１および図２に示す柵用支柱１と同一構成部分には同一符号を付してその説明を省略または簡略化する。
【００３１】
支柱本体２には、その上端部に前記一対の挿入孔５ａ，５ａに加えてもう一つ挿入孔５ａが形成されている。もう一つの挿入孔５ａは、径方向において対向する一対の挿入孔５ａ，５ａの周方向における中央部に形成されている、つまり、一対の挿入孔５ａ，５ａに対して９０度離間した位置に配置されている。
また、挿入孔５ａ，５ａ，５ａの下方には、一対の挿入孔５ｂ，５ｂに加えてもう一つの挿入孔５ｂが形成されている。もう一つの挿入孔５ｂも、一対の挿入孔５ｂ，５ｂの中央部に形成されている、つまり、一対の挿入孔５ｂ，５ｂに対して９０度離間した位置に配置されている。
さらに、前記多数のリブ４のうち、前記もう一つの挿入孔５ａ，５ｂと対向する部位には、図５に示すように、切欠部６が形成されている。
【００３２】
また、支柱本体２には、図４に示すように、前記保持部材３に加えて、もう一つの保持部材２３が挿入されている。この保持部材２３は、前記保持部材３と同様に、支柱本体２の内周部の対向する部位にそれぞれ圧接する一対の圧接部７，７と、この圧接部７，７の上端部どうしを連結する連結部８とを備えている。
一対の圧接部材７，７のうち、一方の圧接部材７つまり、前記もう一つの挿入孔５ａ，５ｂと対向する位置にある圧接部材７には、係合部１０ａ，１０ｂがもう一つの挿入孔５ａ，５ｂに対向して形成されている。また、他方の圧接部材７には、係合部１０ａ，１０ｂは形成されていない。
【００３３】
上記のように構成された保持部材２３は、図４に示すように、前記保持部材３とともに支柱本体２の上端開口部から挿入される。この場合、保持部材２３の連結部８を保持部材３の連結部８より下側に配置するとともに、連結部８，８どうしを平面視において直交するようにして配置したうえで、保持部材２３，３のそれぞれの圧接部７，７を内側に弾性的に撓ませた状態で、支柱本体２の上端開口部から挿入され、各圧接部７に形成された係合部１０ａ，１０ｂがリブ４に形成された切欠部６，６に嵌り込むことによって、支柱本体２内に装填される。
そして、係合部１０ａ，１０ｂが切欠部６，６に嵌り込むことによって、該係合部１０ａ，１０ｂが、支柱本体２に形成された挿入孔５ａ，５ｂと対向した位置に位置決めされるとともに、保持部材２３，３のそれぞれの圧接部７，７が支柱本体２の内周部の対向する部位にそれぞれ圧接する。つまり、圧接部７，７の両側部がリブ４，４に圧接する。これによって、前記保持部材２３，３は支柱本体２内の所定の位置に位置決めされて固定保持される。
【００３４】
そして、図３に示すように、３つの挿入孔５ａのうち、周方向に９０度離間して配置されている２つの挿入孔５ａからそれぞれ連結具１１を挿入し、そのねじ部１１ｄを保持部材３の係合部１０ａと保持部２３の係合部１０ａにねじ込んで係合するとともに、フランジ部１１ａを支柱本体２の外周面に当接する。なお、図３においては、一方の挿入孔５ａ，５ｂに連結具１１を挿入している状態を示しており、他方の挿入孔５ａ，５ｂに挿入される連結具１１は図示を省略してある。
同様に、３つの挿入孔５ｂのうち、周方向に９０度離間して配置されている２つの挿入孔５ｂからそれぞれ連結具１１を挿入し、そのねじ部１１ｄを保持部材３の係合部１０ｂと保持部２３の係合部１０ｂにねじ込んで係合するとともに、フランジ部１１ａを支柱本体２の外周面に当接する。これによって、支柱本体２に合計４つの連結具１１を取り付ける。一方、残りの挿入孔５ａ，５ｂには栓２４を挿入する。
【００３５】
この栓２４は、支柱本体２の外周面に当接するフランジ部２４ａと、このフランジ部２４ａの表面に固定された頭部２４ｂと、フランジ部２４ａの裏面に立設されたねじ部２４ｄとから構成されている。
そして、残りの挿入孔５ａ，５ｂにそれぞれ挿入された栓２４は、そのねじ部２４ｄを保持部材３の係合部１０ａ，１０ｂにねじ込んで係合するとともに、フランジ部２４ａを支柱本体２の外周面に当接することによって、支柱本体２に取り付けられる。
なお、図示は省略するが、支柱本体２の上端開口部には前記蓋１５と同様の蓋が設けられている。
【００３６】
上記のような２種類の柵用支柱１，２１のうち、柵用支柱１は、図９に示すように、例えば歩道と車道との境界部において、所定間隔で設置される。この場合、地盤中に柵用支柱１の下端部を埋設するとともに、隣り合う柵用支柱１，１の対向する連結具１１，１１の高さ位置が等しくなるように、柵用支柱１の埋設深さを調整して設置する。
その後、対向する連結具１１，１１に、チェーン等の架設材１６の端部をそれぞれ連結することによって、車道横断防止用の柵を形成する。
また、柵用支柱２１は、図示は省略するが、柵のコーナ部に設置される。柵用支柱２１には、周方向に９０度離間して連結具１１，１１が取り付けられているので、一方の連結具１１と、一列に設置された柵用支柱１からなる一方の柵の端にある柵用支柱１の連結具とをチェーン等の架設材によって連結し、他方の連結具１１と、前記一方の柵と直交する他方の柵の端にある柵用支柱１の連結具とをチェーン等の架設材によって連結することによって、一方の柵と他方の柵とを連結できる。
【００３７】
本実施の形態の柵用支柱によれば、保持部材３，２３を構成する一対の圧接部７，７が、支柱本体２の内周部の対向する部位にそれぞれ圧接することによって、保持部材３，２３を支柱本体２の所定の位置に固定できる。
そして、支柱本体２には、連結具１１の一端部（ねじ部１１ｄ）が挿入される挿入孔５ａ，５ｂが形成されており、圧接部７には、挿入孔５ａ，５ｂに挿入された連結具１１の一端部（ねじ部１１ｄ）が係合する係合部１０ａ，１０ｂが、挿入孔５ａ，５ｂと対向した位置に設けられているので、支柱本体２の所定の位置に連結具１１を容易かつ確実に取り付けることができる。
【００３８】
また、支柱本体２の内周面には多数のリブ４が形成されているので、これらリブによって支柱本体の強度を高めることができ、よって、支柱本体２の肉厚を薄くできる。また、挿入孔５ａ，５ｂと対向するリブ４の部位に切欠部６，６が形成されており、この切欠部６，６に係合部１０ａ，１０ｂが嵌り込んでいるので、係合部１０ａ，１０ａが挿入孔５ａ，５ａに対して容易に位置決めされるとともに、これによって保持部材３，２３の支柱本体２に対する位置めが容易となる。また、係合部１０ａ，１０ｂが切欠部６，６に嵌り込んでいるので、保持部材３，２３が支柱本体２に対してその軸方向や周方向にずれるのを防止でき、また、保持部材３，２３を支柱本体２に強固に固定できる。
さらに、支柱本体２と蓋１５とがセルロース系微粉粒と樹脂とを混合して押出成形したものであるので、この支柱本体２と蓋１５に防水性、防腐性や木質感を付与することができ、よって、柵を設ける際の柵用支柱として好適なものとなる。
【００３９】
図１０および図１１は、本発明に係る柵用支柱の他の例を示すものであり、図１０は柵用支柱の横断面図、図１１は支柱本体の内部のリブの要部を示す斜視図である。
これらの図に示す柵用支柱３１が前記柵用支柱１と異なる点は、支柱本体２の内周面に形成された多数のリブの構成であるので、この点について詳しく説明し、図１および図５に示す柵用支柱１と同一構成部分には同一符号を付してその説明を省略または簡略化する。
【００４０】
図１０に示すように、支柱本体２の内周面には、支柱本体２の軸方向に延在する多数のリブ４が周方向に所定間隔で形成されている。これらリブ４には、高さの高い高リブ４ａと低い低リブ４ｂとがある。
高リブ４ａと低リブ４ｂとは、支柱本体２の周方向において交互に配置されている。
また、支柱本体２内には、前記保持部材３が挿入されており、この保持部材３の圧接部７は、前記リブ４ａ，４ｂに圧接している。つまり、圧接部７の両側部が低リブ４ｂ，４ｂに圧接しており、中央部が高リブ４ａに圧接している。また、切欠部６は図１１に示すように、高リブ４ａに形成されいる。
【００４１】
そして、係合部１０ａ，１０ｂが切欠部６，６に嵌り込むことによって、該係合部１０ａ，１０ｂが、支柱本体２に形成された挿入孔５ａ，５ｂと対向した位置に位置決めされるとともに、圧接部７，７が支柱本体２の内周部の対向する部位にそれぞれ圧接する。つまり、圧接部７，７の両側部が、前記切欠部６を有する高リブ４ａの両側に位置する低リブ４ｂ，４ｂに、圧接部７，７の中央部が高リブ４ａに圧接する。これによって、前記保持部材３は支柱本体２内の所定の位置に位置決めされて固定保持される。
【００４２】
このような柵用支柱３１では、図示は省略するが、前記挿入孔５ａ，５ｂからそれぞれ連結具１１を挿入し、そのねじ部１１ｄを保持部材３の係合部１０ａ，１０ｂにねじ込んで係合するとともに、フランジ部１１ａを支柱本体２の外周面に当接することによって、支柱本体２に合計４つの連結具１１を取り付ける。
【００４３】
本実施の形態の柵用支柱３１によれば、圧接部７はその両側部が低リブ４ｂ，４ｂに圧接しており、中央部が高リブ４ａに圧接しているので、圧接部７を３点でバランスよく支持固定できる。また、切欠部６は高リブ４ａに形成されているので、圧接部７に形成された係合部１０ａ，１０ｂが低くても、この係合部１０ａ，１０ｂを確実に切欠部に嵌め込むことができる。
なお、本実施の形態の柵用支柱３１が上記柵用支柱１と同様の効果を得ることができるのは勿論のことである。
【００４４】
図１２は本発明に係る柵用支柱の他の例を示すものであり、柵用支柱の横断面図である。
この図に示す柵用支柱４１が前記柵用支柱１と異なる点は、支柱本体の構成と、保持部材の構成であるので、この点について詳しく説明し、図１に示す柵用支柱１と同一構成部分には同一符号を付してその説明を省略または簡略化する。
【００４５】
図１２に示すように、支柱本体２の内周面には、上記のようなリブ４は形成されていない。つまり、支柱本体２は円筒状に形成されている。
また、保持部４３は、支柱本体２の内周部の対向する部位にそれぞれ圧接する一対の圧接部４７，７と、この圧接部４７，４７の上端部どうしを連結する連結部４８とを備えている。
圧接部４７，４７はそれぞれ支柱本体２の内周面に密接するような湾曲した帯板で形成されており、連結部４８は前記連結部８と同様に半円弧状に形成され、その両端部が前記圧接部４７，４７に一体的に連結されている。圧接部７には係合部１０ａ，１０ｂが形成されている。
さらに、これら係合部１０ａ，１０ｂは支柱本体２に形成された挿入孔１０ａ，１０ｂに係合している。
【００４６】
このような柵用支柱４１では、挿入孔５ａ，５ｂからそれぞれ連結具１１を挿入し、そのねじ部１１ｄを保持部材４３の係合部１０ａ，１０ｂにねじ込んで係合するとともに、フランジ部１１ａを支柱本体２の外周面に当接することによって、支柱本体２に合計４つの連結具１１を取り付ける。
【００４７】
本実施の形態の柵用支柱４１によれば、圧接部４７に設けられている係合部１０ａ，１０ｂが、支柱本体２に形成された挿入孔５ａ，５ｂに係合しているので、係合部１０ａ，１０ｂが挿入孔５ａ，５ｂに対して容易に位置決めされるとともに、これによって保持部４３の支柱本体２に対する位置めが容易となる。また、係合部１０ａ，１０ｂが挿入孔５ａ，５ｂに係合しているので、保持部材４３が支柱本体２に対してその軸方向や周方向にずれるのを防止でき、また、保持部材４３を支柱本体２に強固に固定できる。
【００４８】
図１３および図１４は、本発明に係る柵用支柱の他の例を示すものであり、図３は柵用支柱の横断面図、図４は柵用支柱の上端部の縦断面図である。
これらの図に示す柵用支柱２１が、図３および図８に示す柵用支柱２１と異なる点は、連結具１１や栓２４の構成と、これらを挿入する挿入孔５ａ，５ｂの構成であるので、以下ではこれらの点について詳しく説明し、図３および図８に示す柵用支柱２１と同一構成部分には同一符号を付してその説明を省略または簡略化する。
【００４９】
支柱本体２に形成されている挿入孔５ａ，５ｂの入口には座掘り部５ｃが形成されている。この座掘り部５ｃは連結具１１のフランジ部１１ａと、栓２４のフランジ部２４ａが嵌め込まれるものであり、座掘り部５ｃの深さは、フランジ部１１ａ，２４ａの厚さとほぼ等しいか若干深くなっている。
そして、挿入孔５ａ，５ｂに連結具１１や栓２４が挿入された状態において、それらのフランジ部１１ａ，２４ａが、座掘り部５ｃに嵌り込むことによって、挿入孔５ａ，５ｂからの雨水等の侵入を防止できる、つまり防水性を確保できるようになっている。また、座掘り部５ｃとフランジ部１１ａ，２４ａとの間にパッキン材を介在させることによって、さらに防水性を向上させることもできる。
【００５０】
また、連結具１１や栓２４のフランジ部１１ａ，２４ａと、前記係合部１０ａ，１０ｂとの間には筒状の支持部材３０が設けられており、この支持部材３０は前記フランジ部１１ａ２４ａと係合部１０ａ，１０ｂとの双方に当接している。
このように、支持部材３０を設けることによって、支柱本体２に挿入された保持部材３を係合部１０ａ，１０ｂを介して連結具１１や栓２４によって支持できるとともに、逆に連結具１１や栓２４を係合部１０ａ，１０ｂを介して保持部材３に強固に取り付けることができる。さらに、筒状の支持部材３０が係合部１０ａ，１０ｂの先端面において、係合部１０ａ，１０ｂに形成された貫通孔の周囲を覆うようにして当接しているので、この貫通孔つまりねじ穴への雨水等の侵入を防止できる。
【００５１】
なお、上記実施の形態において、蓋の外周形状を支柱本体２の内周面の形状に合せて、つまり、リブ４による凹凸形状に合せて凹凸形状とし、蓋と支柱本体とを凹凸嵌合させることによって、蓋を支柱本体２に強固に固定することもできる。
さらに、上記実施の形態では、保持部材３，２３，４３にバーリング加工によって係合部１０ａ，１０ｂを形成したが、これに代えて、ナットを保持部材３，２３，４３に溶接等によって固定することで係合部１０ａ，１０ｂとしてもよい。また、本実施の形態では、連結具１１と係合部１０ａ，１０ｂとの係合を、ねじによる螺合によって行ったが、これに限ることなく、係合部の穴に、連結具１１の一端部を差し込むようにしてもよい。この場合、連結具が抜け出ないようにストッパを設けるか、あるいは穴を拡径しつつ差し込むような構造とすればよい。
【図面の簡単な説明】
【００５２】
【図１】本発明に係る柵用支柱の一例を示すもので、柵用支柱の横断面図である。
【図２】同、柵用支柱の上端部の斜視図である。
【図３】本発明に係る柵用支柱の他の第１例を示すもので、柵用支柱の横断面図である。
【図４】同、柵用支柱の上端部の斜視図である。
【図５】本発明に係る柵用支柱の一例を示すもので、支柱本体の内部のリブの要部を示す斜視図である。
【図６】同、保持部材の正面図である。
【図７】同、保持部材の側面図である。
【図８】同、柵用支柱の上端部の縦断面図である。
【図９】同、柵用支柱を地盤に立設した状態を示す正面図である。
【図１０】本発明に係る柵用支柱の他の第２例を示すもので、柵用支柱の横断面図である。
【図１１】同、支柱本体の内部のリブの要部を示す斜視図である。
【図１２】本発明に係る柵用支柱の他の第３例を示すもので、柵用支柱の横断面図である。
【図１３】本発明に係る柵用支柱の他の第４例を示すもので、柵用支柱の横断面図である。
【図１４】同、柵用支柱の上端部の縦断面図である。
【符号の説明】
【００５３】
１，２１，３１，４１  柵用支柱
２  支柱本体
３，２３，４３  保持部材
４  リブ
４ａ  高リブ
４ｂ  低リブ
５ａ，５ｂ  挿入孔
６  切欠部
７，４７  圧接部
８，４８  連結部
１０ａ，１０ｂ  係合部
１１  連結具
１１ｄ  ねじ部（連結具の一端部）
１５  蓋
【図１】
2005232743.tif 000003
【図２】
2005232743.tif 000004
【図３】
2005232743.tif 000005
【図４】
2005232743.tif 000006
【図５】
2005232743.tif 000007
【図６】
2005232743.tif 000008
【図７】
2005232743.tif 000009
【図８】
2005232743.tif 000010
【図９】
2005232743.tif 000011
【図１０】
2005232743.tif 000012
【図１１】
2005232743.tif 000013
【図１２】
2005232743.tif 000014
【図１３】
2005232743.tif 000015
【図１４】
2005232743.tif 000016